(57)【特許請求の範囲】
【請求項１】
筐体に対する接触位置を検知する検知部による検知結果に基づいて、ユーザによる前記筐体の握り方を表すリズム情報を取得する取得部と、
前記取得部によって取得された複数の電子機器の前記リズム情報の類似度を算出する算出部と、
前記算出部によって算出された複数の電子機器の前記リズム情報の類似度に基づいて、前記複数の電子機器をグループ化するグループ化情報を生成するグループ化部と
を備える電子機器。
【請求項２】
請求項１に記載の電子機器は、
前記グループ化部によって同一グループにグループ化された他の電子機器と通信するための接続情報を表示する表示部を更に備える電子機器。
【請求項３】
請求項１又は請求項２に記載の電子機器は、
前記グループ化部によって同一グループにグループ化された複数の電子機器が、同様に音声出力し、同様に発光し、又は、同様に振動するように、他の電子機器に動作制御情報を送信する送信部を更に備える電子機器。
【請求項４】
電子機器をグループ化する電子機器におけるグループ化方法であって、
前記電子機器の取得手段が、筐体に対する接触位置を検知する検知部による検知結果に基づいて、ユーザによる前記筐体の握り方を表すリズム情報を取得し、
前記電子機器の算出手段が、前記取得手段によって取得された複数の電子機器の前記リズム情報の類似度を算出し、
前記電子機器のグループ化手段が、前記算出手段によって算出された複数の電子機器の前記リズム情報の類似度に基づいて、前記複数の電子機器をグループ化するグループ化情報を生成するグループ化方法。
【発明の詳細な説明】
【技術分野】
【０００１】
本発明は、電子機器及びグループ化方法に関するものである。
【背景技術】
【０００２】
従来、入力画像間の類似性を評価することによって入力画像をグループ化する撮像装置が開示されている（例えば、特許文献１参照）。
【先行技術文献】
【特許文献】
【０００３】
【特許文献１】特開２０１１−０１０２７５号公報
【発明の概要】
【発明が解決しようとする課題】
【０００４】
しかしながら、特許文献１に開示された撮像装置の如く画像をグループ化する電子機器は、電子機器をグループ化しない。即ち、グループ化を行う電子機器といえども、グループ化の対象物は画像であって、電子機器自体をグループ化の対象とはしていない。従って、電子機器自体をグループ化した場合に実現され得る種々の応用処理（例えば、同一グループにグループ化された複数の電子機器が、同様に音声出力し、同様に発光し、又は、同様に振動するように設定）を実現することができないという問題がある。
本発明は、上記問題に鑑みてなされたものであり、複数の電子機器を簡便にグループ化する技術を提供する。
【課題を解決するための手段】
【０００８】
上記問題を解決するために、本発明の一態様である電子機器は、筐体に対する接触位置を検知する検知部による検知結果に基づいて、ユーザによる前記筐体の握り方を表すリズム情報を取得する取得部と、前記取得部によって取得された複数の電子機器の前記リズム情報の類似度を算出する算出部と、前記算出部によって算出された複数の電子機器の前記リズム情報の類似度に基づいて、前記複数の電子機器をグループ化するグループ化情報を生成するグループ化部とを備える。
【０００９】
上記電子機器は、前記グループ化部によって同一グループにグループ化された他の電子機器と通信するための接続情報を表示する表示部を更に備えるようにしてもよい。
【００１０】
上記電子機器は、前記グループ化部によって同一グループにグループ化された複数の電子機器が、同様に音声出力し、同様に発光し、又は、同様に振動するように、他の電子機器に動作制御情報を送信する送信部を更に備えるようにしてもよい。
【００１１】
上記問題を解決するために、本発明の他の態様であるグループ化方法は、電子機器をグループ化する電子機器におけるグループ化方法であって、前記電子機器の取得手段が、筐体に対する接触位置を検知する検知部による検知結果に基づいて、ユーザによる前記筐体の握り方を表すリズム情報を取得し、前記電子機器の算出手段が、前記取得手段によって取得された複数の電子機器の前記リズム情報の類似度を算出し、前記電子機器のグループ化手段が、前記算出手段によって算出された複数の電子機器の前記リズム情報の類似度に基づいて、前記複数の電子機器をグループ化するグループ化情報を生成する。
【発明の効果】
【００１２】
本発明によれば、複数の電子機器を簡便にグループ化することできる。
【図面の簡単な説明】
【００１３】
【図１】本発明の一実施形態による電子機器１の処理の概要を説明するための模式図である。
【図２】電子機器１の一例を示す構成図である。
【図３】電子機器１が取得又は記憶する情報の一例である。
【図４】他の電子機器１００の一例を示す構成図である。
【図５】電子機器１の動作の一例を示すフローチャートである。
【図６】電子機器１によるグループ化の結果を説明するための模式図である。
【図７】電子機器１及び電子機器１００の外観構成を示す斜視図である。
【図８】握り方のパターンの一例を示すイメージ図である。
【発明を実施するための形態】
【００１４】
以下、図面を参照しながら本発明の一実施形態について説明する。図１は、本発明の一実施形態による電子機器１の処理の概要を説明するための模式図である。
【００１５】
電子機器１（例えば、携帯型電子機器）は、複数の電子機器（例えば、携帯型電子機器）をグループ化する。
例えば、電子機器１は、図１（ａ）に示すように、自電子機器１の周辺に存在する複数の他の電子機器１００をグループ化する。即ち、電子機器１は、破線に図示する様に、自電子機器１を除く、複数の電子機器１００をグループ化の対象とする。
また例えば、電子機器１は、図１（ｂ）に示すように、自電子機器１、及び、自電子機器１の周辺に存在する複数の他の電子機器１００をグループ化する。即ち、電子機器１は、破線に図示する様に、自電子機器１を含む、複数の電子機器（電子機器１及び電子機器１００）をグループ化の対象とする。
【００１６】
なお、電子機器１及び複数の他の電子機器１００の夫々は、例えば、所定の距離内に接近したときに、通信によって、互いの接続情報（後述）を自動的に交換するものとする。
【００１７】
以下、図１（ａ）に示す態様（自電子機器１を除く、複数の電子機器１００をグループ化の対象とする態様）について説明する。なお、図１（ｂ）に示す態様（自電子機器１を含む、複数の電子機器（電子機器１及び電子機器１００）をグループ化の対象とする態様）については後述する。
【００１８】
図２は、電子機器１の一例を示す構成図である。図３は、電子機器１が取得又は記憶する情報の一例である。電子機器１は、図２（ａ）に示すように、取得部１０、算出部２０、グループ化部３０、表示部４０、送信部５０、動作制御部６０、リズム情報記憶部９０、接続情報記憶部９２、グループ化情報記憶部９４、及び、動作制御情報記憶部９６を備える。
【００１９】
取得部１０は、図２（ｂ）に示すように、受信部１２を有する。なお、取得部１０は、図２（ｃ）に示すように、受信部１２に加え検出部１４を有してもよい。但し、図１（ａ）に示す態様の場合、検出部１４は必須でないため、検出部１４を有しないものとして説明する。
【００２０】
取得部１０は、他の電子機器１００の筐体の動きを表すリズム情報を取得する。具体的には、取得部１０内の受信部１２が、他の電子機器１００の夫々から、図３（ａ）に示すように、当該他の電子機器１００の機器ＩＤ及び接続情報とともに、当該他の電子機器１００のリズム情報を受信する。機器ＩＤは、電子機器１００の夫々を識別するための識別情報である。接続情報は、電子機器１００の夫々と通信するための情報であって、例えば、プロトコルに係る情報、アドレス情報などである。
【００２１】
なお、一の他の電子機器１００が電子機器１に対し、リズム情報と一緒に接続情報を送信しない場合（例えば、当該リズム情報の送信前に、既に、機器ＩＤとともに当該他の電子機器１００の接続情報を電子機器１に送信（交換）していた場合）には、受信部１２は、当該他の電子機器１００の機器ＩＤとともに、当該他の電子機器１００のリズム情報を受信する。即ち、上述のような場合には、受信部１２は、リズム情報と一緒に接続情報を受信しない。
【００２２】
受信部１２が受信するリズム情報は、図３（ａ）に示すように、筐体の高さ方向（即ち、筐体の長手方向）への動き情報（例えば、周期、振幅）、筐体の幅さ方向（即ち、筐体の短手方向）への動き情報、筐体の厚み方向への動き情報の何れか１以上の動き情報を含む。なお、図３（ａ）に示すリズム情報は、一例であって、受信部１２が受信するリズム情報は、上記各動き情報に代えて又は加えて、筐体の高さ方向を軸とする動き情報（例えば、当該軸を中心とする回転角、周期）、筐体の幅さ方向を軸とする動き情報、筐体の厚み方向を軸とする動き情報、南北方向への動き情報、東西方向への動き情報、天地方向への動き情報、南北方向を軸とする動き情報、東西方向を軸とする動き情報、天地方向を軸とする動き情報の何れか１以上の情報を含むものであってもよい。
【００２３】
また、リズム情報を構成する夫々の動き情報は、他の電子機器１００において検出された検出値、又は、検出値に応じた指標（レベル）である。なお、検出値に応じた指標とは、例えば、周期については、早い動き、普通の動き、遅い動きの３段階のレベルであってもよいし、振幅については、大きな動き、普通の動き、小さな動きの３段階のレベルであってもよい。検出値に応じた指標を用いる場合、検出値を用いる場合に比べ、送受信するリズム情報のデータ量、類似度の算出の処理量が削減する。
【００２４】
リズム情報を取得した取得部１０（受信部１２）は、取得（受信）したリズム情報をリズム情報記憶部９０に記憶する。例えば、取得部１０は、図３（ｂ）に示すように、機器ＩＤに対応付けてリズム情報を記憶する。
【００２５】
また、リズム情報を取得した取得部１０は、リズム情報とともに取得した接続情報を接続情報記憶部９２に記憶する。例えば、取得部１０は、図３（ｃ）に示すように、機器ＩＤに対応付けて接続情報を記憶する。なお、取得部１０は、一の他の電子機器１００からリズム情報を取得する前に、既に、機器ＩＤとともに当該他の電子機器１００の接続情報を取得（交換）していた場合には、当該取得（交換）時に、機器ＩＤに対応付けて接続情報を記憶する。
【００２６】
算出部２０は、取得部１０によって取得された複数の他の電子機器１００のリズム情報の類似度を算出する。即ち、算出部２０は、リズム情報記憶部９０に記憶されている、夫々の電子機器１００同士のリズム情報の類似度を算出する。つまり、算出部２０は、第１の他の電子機器１００（一の電子機器１００）のリズム情報と、第２の他の電子機器１００（当該一の電子機器１００以外の電子機器１００）のリズム情報との類似度を算出する。
【００２７】
具体的には、例えば、算出部２０は、リズム情報を構成する同一種類の動き情報同士の類似度を算出し、複数の、同一種類の動き情報同士の類似度に基づいて、第１の他の電子機器１００のリズム情報と、第２の他の電子機器のリズム情報との類似度を算出する。例えば、リズム情報が、図３（ａ）に示すように、筐体の高さ方向への動き情報、筐体の幅さ方向への動き情報、筐体の厚み方向への動き情報の３つの動き情報から構成されている場合、算出部２０は、第１の他の電子機器１００の筐体の高さ方向への動き情報と第２の他の電子機器１００の筐体の高さ方向への動き情報との類似度を算出し、第１の他の電子機器１００の筐体の幅さ方向への動き情報と第２の他の電子機器１００の筐体の幅さ方向への動き情報との類似度を算出し、第１の他の電子機器１００の筐体の厚み方向への動き情報と第２の他の電子機器１００の筐体の厚み方向への動き情報との類似度を算出し、これら３つの類似度に基づいて、第１の他の電子機器１００のリズム情報と、第２の他の電子機器のリズム情報との類似度を算出する。
【００２８】
筐体の高さ方向への動き情報（筐体の幅さ方向への動き情報、筐体の厚み方向への動き情報も同様）同士の類似度の算出手法としては種々の算出手法が考えられるが、一例として、算出部２０は、第１の他の電子機器１００の筐体の高さ方向への動き情報（例えば周期）の値と、第２の他の電子機器１００の筐体の高さ方向への動き情報（例えば周期）の値とを比較し、値の小さい一方を大きい他方で除した値を筐体の高さ方向への動き情報同士の類似度としてもよい。当該算出手法の場合、筐体の高さ方向への動き情報同士の類似度は０〜１の範囲となり、類似している程、１に近い値となる。
【００２９】
また、リズム情報を構成する同一種類の動き情報同士の類似度に基づいて、第１の他の電子機器１００のリズム情報と、第２の他の電子機器のリズム情報との類似度を算出する算出手法としては、種々の算出手法が考えられるが、一例として、算出部２０は、各動き情報同士の類似度の平均値を第１の他の電子機器１００のリズム情報と、第２の他の電子機器のリズム情報との類似度としてもよい。即ち、上記の例では、算出部２０は、筐体の高さ方向への動き情報同士の類似度、筐体の幅さ方向への動き情報同士の類似度、筐体の厚み方向への動き情報同士の類似度の平均値を、第１の他の電子機器１００のリズム情報と、第２の他の電子機器のリズム情報との類似度としてもよい。当該算出手法の場合、第１の他の電子機器１００のリズム情報と、第２の他の電子機器のリズム情報との類似度は０〜１の範囲となり、類似している程、１に近い値となる。
【００３０】
なお、上述の平均値の算出時において、所定の動き情報同士の類似度に重み付けをした後に平均値を算出してもよい。なお、平均値は、相加平均に限らず、相乗平均を用いてもよい。また、平均値に代えて、動き情報同士の類似度の中央値、動き情報同士の類似度の最大値、動き情報同士の類似度同士の類似度の最小値を、第１の他の電子機器１００のリズム情報と、第２の他の電子機器のリズム情報との類似度としてもよい。
【００３１】
なお、算出部２０が類似度の算出を開始するタイミングは特に限定しないが、例えば、算出部２０は、操作受付部（非図示）が所定のユーザ操作を受け付けたときに、類似度を算出してもよい。
【００３２】
上述の如く、複数の他の電子機器１００のリズム情報の類似度を算出した算出部２０は、類似度の算出結果をグループ化部３０に出力する。
【００３３】
グループ化部３０は、算出部２０によって算出された複数の他の電子機器１００のリズム情報の類似度（類似度の算出結果）に基づいて、当該複数の他の電子機器１００をグループ化する（即ち、グループ化の結果であるグループ化情報（後述）を生成する）。より詳細には、グループ化部３０は、算出部２０によって算出された第１の他の電子機器１００のリズム情報と第２の他の電子機器のリズム情報との類似度が所定の閾値以上である場合に、第１の他の電子機器１００と第２の他の電子機器１００を同一グループにグループ化する。
【００３４】
例えば、グループ化部３０は、電子機器Ａ、Ｂ、Ｃについて、電子機器Ａ、Ｂのリズム情報の類似度が所定の閾値以上であって、かつ、電子機器Ａ、Ｃのリズム情報の類似度が所定の閾値以上であって、かつ、電子機器Ｂ、Ｃのリズム情報の類似度が所定の閾値以上である場合に、電子機器Ａ、Ｂ、Ｃを同一グループにグループ化する。つまり、グループ化部３０は、仮に、電子機器Ａ、Ｂのリズム情報の類似度と、電子機器Ｂ、Ｃのリズム情報の類似度が何れも所定の閾値以上であっても、電子機器Ａ、Ｃのリズム情報の類似度が所定の閾値以上でない場合には、電子機器Ａ、Ｂ、Ｃを同一グループにグループ化しない。
【００３５】
なお、グループ化部３０は、電子機器Ａ、Ｂのリズム情報の類似度と、電子機器Ｂ、Ｃのリズム情報の類似度が何れも所定の閾値以上であって、かつ、電子機器Ａ、Ｃのリズム情報の類似度が所定の閾値以上でない場合には、電子機器Ａ、Ｂのリズム情報の類似度と、電子機器Ｂ、Ｃのリズム情報の類似度とを比較し、電子機器Ａか電子機器Ｃの何れの一方と、電子機器Ｂとを同一グループにグループ化してもよい。即ち、電子機器Ａ、Ｂのリズム情報の類似度が電子機器Ｂ、Ｃのリズム情報の類似度よりも高い場合には、電子機器Ａ、Ｂを同一グループにグループ化し、電子機器Ｂ、Ｃのリズム情報の類似度が電子機器Ａ、Ｂのリズム情報の類似度よりも高い場合には、電子機器Ｂ、Ｃを同一グループにグループ化してもよい。
【００３６】
なお、グループ化部３０が複数の他の電子機器１００のグループ化を開始するタイミングは特に限定しないが、例えば、グループ化部３０は、算出部２０から類似度の算出結果を取得したときに、グループ化をしてもよい。
【００３７】
上述の如く、複数の他の電子機器１００をグループ化したグループ化部３０は、グループ化情報をグループ化情報記憶部９４に記憶する。例えば、グループ化部３０は、図３（ｄ）に示すように、グループ化情報として、グループＩＤと所属機器情報とを対応付けてグループ化情報記憶部９４に記憶する。グループＩＤは、グループの夫々を識別するための識別情報である。所属機器情報は、当該グループに所属する電子機器１００（即ち、当該グループにグループ化された電子機器１００）を識別する機器ＩＤを含む情報である。
【００３８】
表示部４０は、種々の情報を表示する。例えば、表示部４０は、グループ化部３０によって同一グループにグループ化された他の電子機器１００と通信するための接続情報を表示する。具体的には、表示部４０は、接続情報記憶部９２とグループ化情報記憶部９４とを参照し、グループ別に、当該グループにグループ化された他の電子機器１００の機器ＩＤと、当該他の電子機器１００と通信するための接続情報とを表示する。なお、表示部４０は、接続情報を表示せずに、グループ別に、機器ＩＤのみを表示してもよい。
【００３９】
なお、表示部４０がグループ化情報、接続情報の表示を開始するタイミングは特に限定しないが、例えば、表示部４０は、グループ化情報がグループ化情報記憶部９４に記憶されたときに、グループ化情報、接続情報を表示してもよい。また、表示部４０は、操作受付部（非図示）が所定のユーザ操作を受け付けたときに、グループ化情報、接続情報を表示してもよい
【００４０】
また、表示部４０は、動作制御情報記憶部９６に記憶されている動作制御情報を表示する。図３（ｅ）は、動作制御情報記憶部９６に記憶されている動作制御情報の一例である。
【００４１】
動作制御情報は、電子機器１、１００の動作を制御するための制御情報であって、例えば、図３（ｅ）に示すように、音声出力を制御するための音声出力制御情報、発光を制御する発光制御情報、振動を制御するための振動制御情報の何れか１以上の制御情報を含む。また、各制御情報（音声出力制御情報、発光制御情報、振動制御情報）は夫々、複数の設定可能値（若しくは、設定可能範囲）を有する。なお、図３（ｅ）に示す動作制御情報は、一例であって、電子機器１、１００の他の動作を制御するため他の制御情報を含むものであってもよい。
【００４２】
なお、表示部４０が動作制御情報の表示を開始するタイミングは特に限定しないが、例えば、表示部４０は、操作受付部（非図示）が所定のユーザ操作を受け付けたときに、動作制御情報を表示してもよい。例えば、送信部５０が動作制御情報の送信を送信する前に、表示部４０は、送信する値（設定値）を確認するためのボタン（操作受付部に相当）を表示し、当該ボタンの押下により、送信前に、送信する値を表示してもよい。
【００４３】
送信部５０は、種々の情報を送信する。例えば、送信部５０は、グループ化情報を他の電子機器１００に送信する。具体的には、送信部５０は、グループ化情報記憶部９４を参照し、グループ別に、当該グループにグループ化された他の電子機器１００の夫々に対し、当該グループに属する他の電子機器１００の機器ＩＤを送信する。
【００４４】
また、送信部５０は、グループ化部３０によって同一グループにグループ化された複数の電子機器１００が、同様に音声出力し、同様に発光し、又は、同様に振動するように、他の電子機器１００に動作制御情報を送信する。具体的には、送信部５０は、接続情報記憶部９２とグループ化情報記憶部９４と動作制御情報記憶部９６とを参照し、グループ別に、当該グループにグループ化された他の電子機器１００の夫々が、同様に音声出力し、同様に発光し、又は、同様に振動するように、各グループにグループ化された夫々の他の電子機器１００に動作制御情報を送信する。
【００４５】
例えば、送信部５０は、グループＧ１にグループ化された複数の電子機器１００の夫々に対し、同一の設定値（例えば、値ａ）の音声出力制御情報を送信し、グループＧ２にグループ化された複数の電子機器１００の夫々に対し、同一の設定値（例えば、値ｂ）の音声出力制御情報を送信する。これにより、グループＧ１にグループ化された電子機器１００の夫々は、設定値ａによる制御に従って音声を出力し、グループＧ２にグループ化された電子機器１００の夫々は、設定値ｂによる制御に従って音声を出力するようになる。発光制御情報、又は、振動制御情報を送信する場合も同様である。
【００４６】
なお、送信部５０が動作制御情報の送信を開始するタイミングは特に限定しないが、例えば、送信部５０は、操作受付部（非図示）が所定のユーザ操作を受け付けたときに、動作制御情報を送信してもよい。
【００４７】
動作制御部６０は、動作制御情報記憶部９６に記憶されている動作制御情報に基づいて、種々の動作を制御する。例えば、音声出力制御情報の設定可能値のうち設定部（非図示）によって設定された設定値に従って音声を出力するように制御し、発光制御情報の設定可能値のうち設定部（非図示）によって設定された設定値に従って発光するように制御し、振動制御情報の設定可能値のうち設定部（非図示）によって設定された設定値に従って振動するように制御する。
【００４８】
なお、設定部（非図示）は、操作受付部（非図示）が設定値を指定するユーザ操作を受け付けたときに、当該設定値を動作制御情報記憶部９６に記憶する。
【００４９】
続いて、電子機器１によるグループ化の対象である他の電子機器１００について説明する。図４は、他の電子機器１００の一例を示す構成図である。他の電子機器１００は、図４に示すように、検出部１１４、表示部１４０、送受信部１５０、動作制御部１６０、及び、動作制御情報記憶部１９６を備える。
【００５０】
検出部１１４は、電子機器１００の筐体の動きを検出する。即ち、検出部１１４は、動き情報を取得する。例えば、検出部１１４は、筐体の高さ方向への動き情報、筐体の幅さ方向への動き情報、筐体の厚み方向への動き情報、筐体の高さ方向を軸とする動き情報、筐体の幅さ方向を軸とする動き情報、筐体の厚み方向を軸とする動き情報、南北方向への動き情報、東西方向への動き情報、天地方向への動き情報、南北方向を軸とする動き情報、東西方向を軸とする動き情報、天地向を軸とする動き情報の何れか１以上の動き情報を取得する。
【００５１】
動き情報を取得した検出部１１４は、取得した動き情報の検出値をリズム情報として送受信部１５０に出力する。なお、検出部１１４は、上述の検出値に応じた指標を算出し、当該指標をリズム情報として送受信部１５０に出力してもよい。
【００５２】
送受信部１５０は、他の電子機器（電子機器１、他の電子機器１００）との間で種々の情報を送受信する。例えば、送受信部１５０は、当該電子機器１００の機器ＩＤ及び接続情報とともに、検出部１１４から取得したリズム情報を電子機器１に送信する。
【００５３】
なお、送受信部１５０は、電子機器１にリズム情報を送信する前に、既に、機器ＩＤとともに接続情報を電子機器１に送信（交換）していた場合には、リズム情報と一緒に接続情報を送信しなくてもよい。
【００５４】
また、例えば、送受信部１５０は、グループ化情報を電子機器１から受信する。送受信部１５０は、グループ化情報を受信した場合に、受信したグループ化情報を表示部１４０に出力する。
【００５５】
また例えば、送受信部１５０は、設定値を含む動作制御情報を電子機器１から受信する。送受信部１５０は、動作制御情報を受信した場合、設定部（非図示）を介して、当該動作制御情報の設定値を、動作制御情報記憶部１９６に記憶（更新）する。なお、動作制御情報記憶部１９６の構成は、電子機器１の動作制御情報記憶部９６と同様である（図３（ｅ）参照）。
【００５６】
表示部１４０は、種々の情報を表示する。例えば、電子機器１から受信したグループ化情報、動作制御情報を表示する。
【００５７】
動作制御部１６０は、動作制御情報記憶部１９６に記憶されている動作制御情報に基づいて、種々の動作を制御する。例えば、音声出力制御情報の設定可能値のうち設定部（非図示）によって設定された設定値に従って音声を出力するように制御し、発光制御情報の設定可能値のうち設定部（非図示）によって設定された設定値に従って発光するように制御し、振動制御情報の設定可能値のうち設定部（非図示）によって設定された設定値に従って振動するように制御する。
【００５８】
つまり、電子機器１から送信された動作制御情報（設定値）を受信した他の電子機器１００は、当該動作制御情報（設定値）に従って動作する。従って、同一グループにグループ化された複数の電子機器１００に、同一の設定値の音声出力制御情報を送信すれば、当該複数の電子機器は同様に音声を出力し、同一の設定値の発光制御情報を送信すれば、当該複数の電子機器は同様に発光し、同一の設定値の振動制御情報を送信すれば、当該複数の電子機器は同様に振動する。
【００５９】
図５は、電子機器１の動作の一例を示すフローチャートである。図５に示すフローチャートの開示時において、リズム情報記憶部９０には複数の他の電子機器１００のリズム情報が記憶され、接続情報記憶部９２には当該複数の他の電子機器１００の接続情報が記憶されているものとする。
【００６０】
図５において、算出部２０は、リズム情報記憶部９０に記憶されている複数の他の電子機器１００のリズム情報の類似度を算出する（ステップＳ１０）。算出部２０は、類似度の算出結果をグループ化部３０に出力する。
【００６１】
グループ化部３０は、算出部２０による類似度の算出結果に基づいて、当該複数の他の電子機器１００をグループ化し、グループ化情報を生成する（ステップＳ１２）。グループ化部３０は、グループ化情報をグループ化情報記憶部９４に記憶する。グループ化部３０は、グループ化情報をグループ化情報記憶部９４に記憶した旨を表示部４０に通知する。
【００６２】
表示部４０は、グループ化情報及び接続情報を表示する（ステップＳ１４）。具体的には、表示部４０は、接続情報記憶部９２とグループ化情報記憶部９４とを参照し、グループ別に、当該グループにグループ化された他の電子機器１００の機器ＩＤと、当該他の電子機器１００と通信するための接続情報とを表示する。
【００６３】
送信部５０は、接続情報記憶部９２とグループ化情報記憶部９４と動作制御情報記憶部９６とを参照し、グループ別に、当該グループにグループ化された他の電子機器１００の夫々が、同様に音声出力し、同様に発光し、又は、同様に振動するように、各グループにグループ化された夫々の他の電子機器１００に動作制御情報を送信する（ステップＳ１６）。そして、本フローチャートは終了する。なお、送信部５０は、操作受付部（非図示）が所定のユーザ操作を受け付けたときに、動作制御情報を送信してもよい。
【００６４】
続いて、図１（ｂ）に示す態様（自電子機器１を含む、複数の電子機器（電子機器１及び電子機器１００）をグループ化の対象とする態様）について説明する。
【００６５】
図１（ｂ）に示す態様の電子機器１の構成が、上述の図１（ａ）に示す態様の電子機器１の構成と異なる部分は、図２（ｃ）に示すように、受信部１２に加え検出部１４を有する点のみである。以下、差異部分（検出部１４）を中心に説明する。
【００６６】
取得部１０は、他の電子機器１００の筐体の動きを表すリズム情報、及び、自電子機器１の筐体の動きを表すリズム情報を取得する。具体的には、受信部１２が、他の電子機器１００の夫々から、図３（ａ）に示すように、当該他の電子機器１００の機器ＩＤ及び接続情報とともに、当該他の電子機器１００のリズム情報を受信し、検出部１４が、自電子機器１の筐体の動きを表すリズム情報を取得する。なお、検出部１４は、他の電子機器１００が備える検出部１１４と同様に、自電子機器１の筐体の動きを検出する。
【００６７】
リズム情報を取得した取得部１０（受信部１２、検出部１４）は、取得（受信、検出）したリズム情報をリズム情報記憶部９０に記憶する。
【００６８】
算出部２０は、取得部１０によって取得された複数の電子機器（自電子機器１、他の電子機器１００）のリズム情報の類似度を算出する。つまり、算出部２０は、検出部１４によって検出された当該電子機器１のリズム情報と、受信部１２によって受信された他の電子機器１００のリズム情報との類似度を算出する。なお、算出部２０は、受信部１２によって受信された他の電子機器１００間のリズム情報の類似度を算出してもよい。
【００６９】
グループ化部３０は、算出部２０によって算出された当該電子機器１のリズム情報と他の電子機器１００のリズム情報との類似度が所定の閾値以上である場合に、当該電子機器１と他の電子機器１００を同一グループにグループ化する。なお、グループ化部３０は、他の電子機器１００間のリズム情報の類似度が所定の閾値以上である場合に、当該他の電子機器１００間を同一グループにグループ化してもよい。
【００７０】
グループ化部３０によって何れかのグループに自電子機器１がグループ化された場合には、当該グループにグループ化された自電子機器１と１以上の他の電子機器１００とが、同様に音声出力し、同様に発光し、又は、同様に振動するように処理をする。例えば、送信部５０が、動作制御情報記憶部９６に記憶されている設定値（自電子機器１の設定値）と同一の値を他の電子機器１００に送信してもよいし、設定部（非図示）が、送信部５０によって他の電子機器１００に送信する値（他の電子機器１００に対する設定値）を、自電子機器１の設定値として動作制御情報記憶部９６に記憶してもよい。
【００７１】
図６は、電子機器１によるグループ化の結果を説明するための模式図である。
図６（ａ）は、図１（ａ）に示した態様におけるグループ化の結果であって、電子機器１が、５台の他の電子機器１００（電子機器Ａ〜Ｅ）のうち、３台の電子機器（電子機器Ａ、Ｃ、Ｄ）をグループＧ１とし、２台の電子機器（電子機器Ｂ、Ｅ）をグループＧ２とし、更に、Ｇ１にグループ化された電子機器（電子機器Ａ、Ｃ、Ｄ）に同様に音声を出力させ、Ｇ２にグループ化された電子機器（電子機器Ｂ、Ｅ）に同様に音声を出力させている様子を表している。つまり、電子機器１によれば、複数の他の電子機器１００を簡便にグループ化し、同一グループ内の複数の他の電子機器１００に、同様に音声出力させ、同様に発光させ、又は、同様に振動させることが可能になる。
【００７２】
図６（ｂ）は、図１（ｂ）に示した態様におけるグループ化の結果であって、電子機器１が、自電子機器１及び５台の電子機器（電子機器Ａ〜Ｅ）のうち、４台の電子機器（自電子機器１、電子機器Ａ、Ｃ、Ｄ）をグループＧ３とし、更に、Ｇ３にグループ化された電子機器（自電子機器１、電子機器Ａ、Ｃ、Ｄ）に同様に音声を出力させている様子を表している。つまり、電子機器１によれば、自電子機器1と同一グループとなる複数の他の電子機器１００について簡便にグループ化し、グループ内の複数の電子機器に、同様に音声出力させ、同様に発光させ、又は、同様に振動させることが可能になる。
【００７３】
図６（ｃ）は、図１（ｂ）に示した態様におけるグループ化の結果であって、電子機器１が、自電子機器１及び５台の電子機器（電子機器Ａ〜Ｅ）のうち、４台の電子機器（自電子機器１、電子機器Ａ、Ｃ、Ｄ）をグループＧ３とし、２台の電子機器（電子機器Ｂ、Ｅ）をグループＧ２とし、更に、Ｇ３にグループ化された電子機器（自電子機器１、電子機器Ａ、Ｃ、Ｄ）に同様に音声を出力させ、Ｇ２にグループ化された電子機器（電子機器Ｂ、Ｅ）に同様に音声を出力させている様子を表している。つまり、電子機器１によれば、自電子機器1と同一グループとなる複数の他の電子機器１００、及び、自電子機器1と同一グループとならない複数の他の電子機器１００について簡便にグループ化し、同一グループ内の複数の電子機器に、同様に音声出力させ、同様に発光させ、又は、同様に振動させることが可能になる。
【００７４】
以上、電子機器１によれば、複数の電子機器を簡便にグループ化することできる。また、電子機器１によれば、同一グループにグループ化した複数の電子機器に、同様に音声出力させ、同様に発光させ、又は、同様に振動させることが可能になる。
【００７５】
なお、本発明の一実施形態による電子機器１の各処理を実行するためのプログラムをコンピュータ読み取り可能な記録媒体に記録して、当該記録媒体に記録されたプログラムをコンピュータシステムに読み込ませ、実行することにより、電子機器１の各処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７７】
以上、この発明の実施形態について図面を参照して詳述してきたが、具体的な構成はこの実施形態に限られるものではなく、この発明の要旨を逸脱しない範囲の設計等も含まれる。
【００７８】
例えば、電子機器１は、ユーザによる筐体の握り方をリズム情報とし、握り方の類似度に基づいて電子機器１及び電子機器１００をグループ化してもよい。
図７は、この場合における電子機器１及び電子機器１００の外観構成を示す斜視図である。電子機器１（又は１００）の筐体は、表示部４０と検知部２２とを保持する。
表示部４０は、筐体のうち板面に設けられている。筐体のうち当該表示部４０が設けられる面を、以下表示面と表記する。
検知部２２は、筐体のうち表示面を囲む４辺に相当する４つの側面Ｆａ〜Ｆｄに設けられている。検知部２２Ａは側面Ｆａに設けられ、検知部２２Ｂは側面Ｆｂに設けられ、検知部２２Ｃは側面Ｆｃに設けられ、検知部２２Ｄは側面Ｆｄに設けられる。検知部２２Ａ〜Ｄは、各側面Ｆａ〜Ｆｄにおいて外部からの（例えばユーザの）接触の有無及び接触位置（領域）を検出する。なお、各検知部２２Ａ〜Ｄに共通する事項については、Ａ〜Ｄの符号を省略し、単に「検知部２２」又は「各検知部２２」と記す。
【００７９】
ユーザが電子機器１（又は１００）を握ると、各検知部２２は、各側面に接触しているユーザの指の位置（接触位置）を検知する。検出部１４（又は１１４）は、各検知部２２が検知している接触位置の情報をリズム情報として取得する。具体的には、検出部１４（又は１１４）は、加速度センサ（不図示）により重力方向を検出し、重力方向を下として上下方向を定め、上下方向に直交する方向（であって表示部４０を正面視したときの左右方向）を左右方向と定める。そして、検出部１４（又は１１４）は、上下左右それぞれの側面における接触位置の情報をリズム情報とする。算出部２０は、上下左右それぞれの側面における接触位置の類似度をリズム情報の類似度として算出する。例えば、算出部２０は、上下左右それぞれの側面における第１の電子機器１００の接触位置と第２の電子機器１００の接触位置との距離を算出し、算出した各距離が近いほど類似度を高くし距離が遠いほど類似度を低くする。
【００８０】
或いは、検出部１４（又は１１４）は、各検知部２２が検出している接触位置の指標（握り方のパターン）を生成し、当該指標をリズム情報として取得してもよい。
図８は、接触位置の指標である握り方の各パターンの一例を示すイメージ図である。図８（ａ）に示すパターン１は、左右の側面を握る握り方である。また、図８（ｂ）に示すパターン２は、上下の側面を握る握り方である。検出部１４（又は１１４）は、各検出部２２が検出している接触位置に基づいて、握り方のパターンを判定し、判定したパターンをリズム情報として取得する。例えば、検出部１４は、左右の側面に接触位置がある場合は握り方のパターンをパターン１とし、上下の側面に接触位置がある場合は握り方のパターンをパターン２とする。算出部２０は、同一のパターンを持つ電子機器１（又は１００）の類似度を高くし、異なるパターンを持つ電子機器１（又は１００）の類似度を低くする。すなわち、グループ化部３０は、同一のパターンを持つ電子機器１（又は１００）を同一のグループとする。このように、検出部１４（又は１１４）が握り方のパターンを取得することにより、算出部２０における類似度の算出処理量が削減される。
【符号の説明】
【００８１】
１…電子機器、１０…取得部、１２…受信部、１４…検出部、２０…算出部、２２…検知部、３０…グループ化部、４０…表示部、５０…送信部、６０…動作制御部、９０…リズム情報記憶部、９２…接続情報記憶部、９４…グループ化情報記憶部、９６…動作制御情報記憶部、１００…電子機器（他の電子機器）、１１４…検出部、１４０…表示部、１５０…送受信部、１６０…動作制御部、１９６…動作制御情報記憶部
【図１】
0006003084.tif 000002
【図２】
0006003084.tif 000003
【図３】
0006003084.tif 000004
【図４】
0006003084.tif 000005
【図５】
0006003084.tif 000006
【図６】
0006003084.tif 000007
【図７】
0006003084.tif 000008
【図８】
0006003084.tif 000009